(57)【特許請求の範囲】
【請求項１】
少なくとも１つの皮下注射針（２）のための保持容器であって、前記皮下注射針（２）が、注射装置（４）の先端のコネクター（３ａ）に対して相補的なコネクター（２ｂ）を備える接続端部（２ａ）を有し、前記皮下注射針は円筒状胴体（５）の内側に引き込まれ、前記コネクター（２ｂ、３ａ）の１つは、径方向の弾性と、前記針（２）と前記円筒状胴体（５）との間に加えられた軸方向の力を、弾性のコネクターを変形させることができる少なくとも１つの径方向成分に転換する転換手段と、を有し、前記保持容器が、前記針（２）を定位置に保持するように構成されたハウジング（１、２１）と、前記ハウジングへのアクセスを可能にする開口部（７、２７）とを有する、保持容器において、
前記ハウジング（１、１１、２１）の円筒状壁（１ｂ）が、前記ハウジングの下端まで延びる第２円筒状壁（１ｃ、１１ｃ、２１ｃ）により囲繞され、前記円筒状壁と前記第２円筒状壁との間を上方リップ（１ａ）が延び、前記第２円筒状壁の下端において径方向外側に延びる径方向部（１ｄ）が、前記ハウジングの軸線と同軸の第３円筒状壁（１ｅ、１１ｅ、２１ｅ）まで外側に延び、前記第３円筒状壁の内面は、前記円筒状胴体（５）の相補的表面に係合するように構成され、前記第３円筒状壁の内面と前記円筒状胴体（５）の相補的表面とが互いに係合すると、前記コネクター（２ｂ、３ａ）が組立位置に配置され、続いて前記転換手段に、前記ハウジング（１、１１、２１）の軸線と同軸方向の圧力が加えられるように構成されたことを特徴とする保持容器。
【請求項２】
前記保持容器を平面上に配置してさらに圧力を前記注射装置（４）の軸方向に加えることにより前記針を前記注射装置に接続できるようにするために、前記保持容器の下面が平坦かつ前記ハウジングの軸線に垂直である請求項１に記載の保持容器。
【請求項３】
廃棄可能な第２の容器をさらに有し、前記第２円筒状壁（１１ｃ、２１ｃ）が、固定要素（１３、２３）を端部に備えた複数の弾性アーム（１２、２２ｃ）を有し、前記固定要素は、前記複数の弾性アーム（１２、２２ｃ）間に形成された、皮下注射針（２）の接続端部（２ａ）を受容する円筒状受容部の内側に突き出て、直径が変化する開口部（１７、２８）を画定し、
前記固定要素（１３、２３）に形成された少なくとも１つの斜めの面（１３ａ、２３ａ）は、該少なくとも１つの斜めの面に加えられた軸方向下向きの力を少なくとも１つの径方向成分に転換し、該径方向成分の力は、前記固定要素（１３、２３）に加えられて前記固定要素を径方向に変形させ、それにより前記開口部（１７、２８）の直径は最大直径まで増大し、前記接続端部（２ａ）が前記開口部を通過した後は最小直径に戻り、前記開口部の直径が最小直径に戻ったときに前記固定要素（１３、２３）は前記接続端部（２ａ）の上面に係合し、それにより前記接続端部（２ａ）は、前記円筒状壁の軸線に沿う引張力の作用によって前記注射装置の先端（３）から分離可能となる請求項１に記載の保持容器。
【請求項４】
複数のハウジング（１、１１、２１）が共有スタンド（１ｆ）上に並んで配置される請求項１〜３のいずれか１項に記載の保持容器。
【請求項５】
径方向に弾性を有する固定要素（１２、１３、２２ｃ、２３）により画定された開口部（１７、２７）が、閉止されたハウジングのアクセス用開口部として機能する請求項３に記載の保持容器。
【請求項６】
前記開口部（７、２７）が、貫通されることができるキャップ（１５、２５）により閉止される請求項１に記載の保持容器。
【請求項７】
前記皮下注射針（２）を定められた位置に保持する受容器（２２）が、前記ハウジング（２１、２１ｅ）の上方に配置され、前記受容器は、互いに離れて配置された２つの同軸の開口部（２７、２８）を有し、該同軸の開口部のうちの第１開口部（２７）は一定の直径を有し、前記同軸の開口部のうちの第２開口部（２８）は、該第２開口部の直径が最小直径から最大直径まで変化可能であるように、径方向に弾性を有するアーム（２２ｃ）を一体的に備えた固定要素（２３）により画定され、
前記受容器（２２）内の第１及び第２の位置間を移動可能なリング（２４）が設けられ、該リングは、前記第１開口部（２７）の直径に概ね等しい内径、及び前記受容器（２２）の高さの半分よりも長い軸方向寸法を有して、前記接続端部（２ａ）を把持できるように構成され、
前記リング（２４）が前記第１の位置にあるときは、前記リングは前記固定要素（２３）を広がった状態に維持し、かつ前記リング（２４）は、前記第１開口部（２７）と前記第２開口部（２８）との間の距離と等しい距離だけ前記リング（２４）の上端から離れた位置に通路（２４ａ）を有し、該通路（２４ａ）の寸法は、前記リングが前記第２の位置にあるときに前記固定要素（２３）が該通路を通って前記リング内に突き出ることができるようになっており、
前記コネクター（２ｂ、３ａ）が互いに接続されると、前記注射装置（４）が前記ハウジングの軸線に沿って外側へ移動し、それにより前記皮下注射針（２）及び前記リング（２４）は、該リングが前記受容器（２２）の上端に位置する前記第１開口部（２７）のリップ（２２ｄ）に当接する位置まで移動させられ、該当接する位置において、前記固定要素（２３）は前記通路（２４ａ）を通過し、前記リング（２４）は前記接続端部（２ａ）から分離され、分離された前記接続端部（２ａ）は、前記ハウジング内に再挿入され、前記固定要素（２３）により適所に保持されるように構成された、請求項１〜６のいずれか１項に記載の保持容器。
【発明の詳細な説明】
【０００１】
発明の技術分野
本発明は、注射針を保持し、取扱い、廃棄するための容器に関する。
【０００２】
発明の背景
本発明は、少なくとも１つの皮下注射針のための保持容器に関する。針の接続端部は、注射装置の先端にあるコネクターに対する複数の相補的なコネクターを有する。複数のコネクターの１つは、径方向の弾性と、針及び注射装置の間に加えられた軸方向の力を、弾性のコネクターを変形させることができる少なくとも１つの径方向成分に転換する手段と、皮下注射針を定位置に保持するように構成されたハウジングと、ハウジングへのアクセスを可能にする開口部とを有する。
【０００３】
この種の皮下注射針は、市場で見受けられる。注射装置の先端への皮下注射針の固定は、容易かつ迅速に行われる。その理由は、相補的なコネクターを係合させるためには、針に螺着させる必要はなく、軸線に沿う圧力だけで十分だからである。理論的には、軸線に沿う引張り操作によってコネクターを分離することも可能であるが、起重装置がないときはこの操作は困難であり、伝統的な方法であるねじを緩める方法によりこの分離が行われる。
【０００４】
慢性の病気の場合は、患者は自ら注射を行う場合がある。従って、注射針を保持し、取扱い、廃棄する手段は、安全であるだけでなく、比較的フールプルーフであってその理解及び扱いが容易であることが重要である。
【０００５】
米国特許５，９６８，０２１号（１９９９年１０月１９日）には、注射針を保持するための容器（magazine）が説明されている。ユーザーは、注射装置を容器に対して予め定めた径方向に挿入する。針は、容器上の予め定めた径方向位置に圧力を与えることによって、注射装置から解放される。
【０００６】
国際公開ＷＯ９２／１３５８５号（１９９２年８月２０日）には、円錐状のハウジングを有する針容器が説明されている。使用前は、針は摩擦力によって円錐状ハウジングの開口端部に保持されている。針を使用した後は、ユーザーは、円錐状ハウジングの開口端部にある弾性のタブの下に針を押込んで、針を円錐状ハウジング内に再挿入できる。弾性のタブは、針が完全に挿入された後にスナップ式に戻り、針が取出されることを防止する。
【０００７】
従来技術の全てにおいて、針が注射器の出口端部に固定されているときは、もはやユーザーは針による外傷から保護されない。この不具合を未然に防ぐために提唱されたいくつかの注射装置は、この目的のために、注射を行う以下の機構を有する。すなわちこの機構は、起立位置内に向かうばね力に逆らう起立手段によって移動可能であり、注射プロセスを実行するために起立位置から解放可能であって、注射される液体を収容するピストン上に作用することができる。
【０００８】
この種の装置は、例えばＥＰ０３５９７６１号に開示されている。この装置のハウジングは、概ね特大の万年筆の形状であり、注射針は、注射プロセスが実行されないうちは装置の内側にある。この注射装置は、注射プロセスを行うために使用される以下の機構を有する。すなわちこの機構は、起立位置内に向かうばね力に逆らう起立要素によって移動可能であり、注射プロセスを実行するために起立位置から解放可能である。皮下注射針は、この機構により軸方向に移動させられ、装置のハウジングの前端から突き出て患者の皮膚に接触し、皮膚を貫いて挿入されて液体を注射する。
【０００９】
そのような装置においては、針を注射装置に接続する手段はハウジングの内側にあるため、ユーザーは、注射装置に接続すべき針の正確な位置を確認できない。針が注射装置のハウジングに覆われて見えないからである。
【００１０】
特に上述の種類の注射装置について、針を保持し、取扱い、廃棄するための安全かつ簡単なシステムが必要とされる。
【００１１】
発明の概要
本発明の目的は、注射針を取扱い、保持し、廃棄するための、使用が容易でかつ安全な方法を提供することである。
【００１２】
第１の実施形態において、本発明は、少なくとも１つの皮下注射針のための以下のような保持容器を提供する。すなわち、皮下注射針は、注射装置の先端にあるコネクターに対する複数の相補的なコネクターを備える接続端部を有し、複数のコネクターの１つは、径方向の弾性と、針及び注射装置の間に加えられた軸方向の力を、弾性のコネクターを変形させることができる少なくとも１つの径方向成分に転換する装置と、皮下注射針を定位置に保持するように構成された針用ハウジングと、ハウジングへのアクセスを可能にする開口部とを有する、保持容器において、ハウジングを画定する外壁は、ハウジング内に配置されるとともに装置の相補的表面に係合するように構成された、針の長手軸線と同軸の複数のガイドを有し、これらのガイドが互いに係合すると、相補的コネクターが組立位置に配置され、続いて装置に軸方向圧力が加えられることを特徴とする保持容器である。皮下注射針及びユーザーの間の人間工学的なインターフェースにより、この針の取扱い及び取付けがより容易になり、より多くの人にとって容易に手の届く範囲内での操作が可能になる。
【００１３】
発明の詳細な説明
この容器はまた、使用済の針を注射装置から分離して保持することを容易にするための装置を有する。従ってユーザーは、上述の人間工学的な補助があれば、針がバラ（散）の状態で与えられた場合よりもはるかに単純かつ容易に針を着脱することができる。
【００１４】
注射装置から取外された使用済の針を、針用のスタンドに保持してアクセスできないようにすることは好ましい。それにより、使用済の針を安全に廃棄することができる。
【００１５】
本発明の他の特別な特徴及び長所を、添付図面を用いて以下に説明する。添付図面は、本発明に係る容器について、ある実施形態及び変形例を概略的かつ例示的に示すものである。
【００１６】
図１ａ及び１ｂに示される保持容器は、皮下注射針２を受容するための円筒状壁１により画定されるハウジングを具備する。皮下注射針２は、中空ソケット２ａの形状の接続端部を備える１つの部材を形成し、中空ソケット２ａの内面は、少なくとも１つのリブ２ｂに形成されたコネクターを有する。中空ソケット２ａは、弾性を有する変形可能な材料から作製されて弾性膨張可能であることが好ましい。それによりリブ２ｂは、相補的コネクター（例えば、注射装置４の先端３の外面に配置されたリブ、溝又はねじ３ａ）と係合可能である。図１が示すように、リブ２ｂの形状により、軸線に沿う圧力が径方向成分に転換されてソケット２ａを弾性変形させる。
【００１７】
図示された実施形態においては、注射装置４は、カートリッジ６を収容する円筒状の胴体５を有する点でボールペンに似ている。カートリッジ６は、注射される一回分の薬物を保持するようになっており、カートリッジ６の前端は、皮下注射針２のソケット２ａ内に押込まれるようになっている接続先端３まで延びる。この注射装置４は、例えばＵＳ５，０９２，８４２号、ＵＳ５，１１４，４０６号又はＥＰ０３５９７６１号に開示されているような公知の種類のものであり、皮下注射針を円筒状胴体の内側の静止位置に引込むことができる。この装置は本発明の一部ではないので、その構造の他の部分及び操作は、より詳細には説明しない。
【００１８】
皮下注射針２のためのハウジング１の円筒状壁１ｂの直径は、ソケット２ａ及び針の間に配置された中間部２ｃを適切に調節し、すなわち針２を正確に位置決めすることができるように、計算される。円筒状壁１ｂの上方リップ１ａは、ソケット２ａと針２の中間部２ｃとの間の行程距離に対するストッパーとして機能する。針２のためのハウジング１の円筒状壁１ｂと同軸である第２円筒状壁１ｃは、円筒状壁１ｂにより画定されたハウジング１の基礎部と同じ高さまで、円筒状壁１ｂを囲繞する。円筒状壁１ｃの径方向部１ｄは、第３円筒状壁１ｅまで外側に延びる。第３円筒状壁１ｅは、他の２つと同心であるが、他の２つより高い位置まで延び、アクセス用開口部７（図１ｂ）を画定する。
【００１９】
図１ａは、針２のための例示された容器１〜１ｅの全体的な形状が、円筒状のスタンドになっていることを示している。円筒状スタンドの基礎プレート１ｄは、注射装置４の先端３が皮下注射針２の接続端部２ａに接続されたときに、安定性のある支持面を提供する。さらに、円筒状外壁１ｅは、注射装置４の本体５の外径に適合するように選定された内径を有する。従って円筒状外壁１ｅは、注射装置４の先端３が針２の接続端部２ａにより形成されたソケットに接続されるときに、本体のためのガイド面を提供する。ガイド面及び容器１〜１ｅの人間工学的形状により、容器を保持せずに簡単に装置４を針２に接続することが可能になる。このことは、容器を平面の上に配置し、圧力を装置４の軸方向に与えることにより可能になる。この圧力は、ソケット２ａの内面に配置されたリブ２ｂを変形させ、そのリブ２ｂを注射装置４の先端３に配置された溝又はねじ３ａに係合させるに十分な圧力である。装置４は、カートリッジ６に収容された製品の注射の準備が整った容器（図１ｂ参照）から引き出されるだけでよい。
【００２０】
本発明の好適な実施形態においては、複数の容器１〜１ｅは、並んで構成されて、平面１ｆによって互いに関連付けられる。平面１ｆは、共有のスタンドを形成し、異なる容器１〜１ｅが有する円筒状外壁１ｅの上端に延びる。この構成により、互いに接する個々の容器を支持する共有面が実質的に拡大し、把持がより容易になって、それにより注射装置４に対する個別の針の接続に関する操作が容易になる。
【００２１】
本発明のさらに有利な実施形態においては、図２に示されるように、個々の容器１〜１ｅを関連付ける平面１ｆが、針２を注射装置４から分離するときに使用される取出装置をそれらの容器に関連付ける。
【００２２】
図２は、並んで構成された容器の組体の一部を示す。この組体は２つの容器を有し、そのうちの参照番号１〜１ｅが付された容器は図１ａ、１ｂの容器と同一である。もう１つの容器は、針の取出装置として機能する。取出装置の全体は、無菌の針２を収容するようになっている容器１〜１ｅの形態と類似する。取出装置はまた、針２を受容するためのハウジング１１を有する。このハウジング１１は、ハウジング１と同一である。ハウジング１１の上端は、針２の接続端部２ａを形成するソケットの外面が当接されるリップ１１ａまで延びる。この取出装置においては、ハウジング１１を画定する壁を囲繞する第２円筒状壁１１ｃは、複数の弾性アーム１２によって外壁１１ｅの上端まで延び、これらの弾性アーム１２の間に円筒状の受容器を形成する。この受容器の直径は、皮下注射針２の接続端部２ａの直径に適合する。
【００２３】
これらの弾性アームは固定要素１３まで延び、固定要素１３は、弾性アーム１２間に形成された容器の内側に突き出て、直径が変化する開口部１７を画定する。弾性アーム１２の長さは、針２の接続端部２ａの下面がリップ１１ａに当接されたときに、固定要素１３の下面が接続端部２ａの上面と正確に同じ高さになるように選定される。これらの固定要素の上面１３ａは、面取りされた又は斜めの形状を有する。この斜めの面１３ａは、使用済の皮下注射針２が面１３ａに向けて移動したときに、注射装置４の胴体の円筒状表面５により案内される効果を有し、また円筒状表面５は、取出容器１１〜１１ｅの円筒状外壁１１ｅの内面により案内される。次に軸線に沿って下方に圧力が加えられると、径方向外側に生じる力成分によって複数の弾性アーム１２が互いに離れるように移動し、それにより開口部１７の直径が増大するため、その開口部１７を通して、複数のアーム１２間に形成された受容器内に皮下注射針２の接続端部２ａを挿入することが可能になる。
【００２４】
弾性アーム１２は、針２の接続端部２ａの下面がハウジング１１のリップ１１ａに当接した直後に、最初の位置に戻る。接続端部２ａの上面に係合した固定要素１３の下面により、容器内に保持されている針２が容器から外れることが防止される。注射装置４が取出容器１１〜１１ｅに関連付けられている状態で注射装置４を引出す操作により、皮下注射針２から注射装置４を分離することが可能になる。皮下注射針２は保持され続ける。
【００２５】
図２に関して説明された変形例においては、参照符号１〜１ｅ及び１１〜１１ｅをそれぞれ付された２つの別々の容器は、１つは無菌の針２、もう１つは使用済の針２のために必要である。これより、図３ａ〜３ｃに関して、無菌の針２を受容可能であり、次に使用済の針２を取出して保持するために使用可能な１つの容器を有する変形例について説明する。
【００２６】
この変形例においては、上述の容器といくらか類似する容器２１〜２１ｅは、３つの円筒状壁２１ｂ、２１ｃ、２１ｅを有する。しかし、円筒状壁２１ｂにより形成されたハウジング２１は、皮下注射針２を直接受容する代わりに、２つの同軸の円筒部により形成される他の受容器２２を受容する。その２つの同軸の円筒部とは、ハウジング２１の壁２１ｂの内側に収容され固定される下方円筒部２２ａと、容器２１〜２１ｅの円筒状外壁２１ｅの上端まで延びる上方円筒部２２ｂとである。
【００２７】
この変形例が既述の実施形態と異なる点は、受容器２２の上部が針２のハウジング２１の上方にて適切な構成となっていること、すなわち受容器２２の上部の高さが、皮下注射針２の接続端部２ａの高さの約２倍であることである。受容器２２の上方円筒状壁２２ｂの下部には、複数の弾性アーム２２ｃが配置される。これらのアーム２２ｃは、図２の弾性アーム１２に似た構成となっている。アーム２２ｃは、それらの上端である固定要素２３まで延びる。固定要素２３は、図２の固定要素１３と同一である。これらの弾性アーム２２ｃ及び固定要素２３は、図２における対応する各部と同じ機能を有する。
【００２８】
図３ａに示されるように、リング２４は、その基礎部に通路２４ａを有し、針２の接続端部２ａを囲繞する。このリング２４の寸法は、リング２４が針２の接続端部２ａの上面の僅かに上方に突き出るようになっているため、固定要素２３及び弾性アーム２２ｃは、図３ａに示されるように、径方向外側に広がった状態に維持される。リング２４の直径は、リング２４が摩擦によって接続端部２ａの回りに保持されるように選定される。貫通されることができるキャップ２５は、容器２１〜２１ｅの上方開口部を閉止する。
【００２９】
ユーザーが容器２１〜２１ｅに収容された針２を注射装置４の先端３に接続しようとするときは、装置４の胴体の円筒状壁５が有する下方のリムがキャップ２５に心合わせされて、装置４の軸線に沿って装置４に圧力が加えられる。この圧力の第１の作用は、キャップ２５を貫通することである。次に装置４は容器２１〜２１ｅの円筒状壁２１ｅによって案内され、装置４の先端３が皮下注射針２の接続端部２ａを形成するソケットのキャビティ内に導入される。この針２とこのソケットの内壁との間の接続は、図１ａの実施形態に関する上述の方法にて行われる。
【００３０】
先端３に接続された針２がその軸線に沿って取出されるときは、針２は、受容器２２の上部２２ｂが有する円筒状壁の上端に形成されたリップ２２ｄにリング２４が当接するまで、リング２４とともに動かされる。このリップ２２ｄの内径は、針２の接続端部２ａの直径に概ね適合するため、接続端部２ａ及びリング２４の間に滑りを生じさせることにより、この針は容器２１〜２１ｅから容易に取出される。これら２つの部材間の摩擦力は、針２を装置４から分離するときに針２及び装置４の間に必ず生じる引張力よりも小さいことは明らかである。
【００３１】
図３ｂに示されるように、リング２４の移動が終わると、通路２４ａは固定要素２３に対向する。それにより装置は、初期の形状に戻った弾性アーム２２ｃの弾性によって通路２４ａ及び固定要素２３を通過することができ、リング２４の内面から移動することができる。
【００３２】
無菌の針が上述したように容器から取出されると、容器は使用済の針を受容して注射装置４から分離するための準備が直ちに整う。図示されるように、この分離は図２に関して説明された方法と同じ方法で行われる。リング２４の内側に突き出た固定要素２３の一部は、斜め形状の上面２３ａを有する。故にこれら斜めの面は、針２の接続端部２ａが挿入されたときにこれらの斜めの面に加えられる軸方向圧力によって、径方向外側に広げられる。このことによりこの接続端部は、針２のためのハウジング２１の上端に形成されたリップ２１ａに当接するまで押圧される。このとき固定要素２３は、自由な状態にあるため、針２の接続端部２ａの上面の上方を再び閉止でき、針が容器２１〜２１ｅ内に保持される。次に注射装置４は、容器２１〜２１ｅに関連付けられている間に、装置４に加えられる軸方向の引張力によって分離可能である。容器２１〜２１ｅの人間工学的形状は、把持を容易にするインターフェースを形成するが、一方、この容器がない場合は、不慣れなユーザーにとってこの操作を実行することは非常に難しく、実際には不可能である。この人間工学的インターフェースの長所は、複数の容器が並んで構成されている場合に、これらの容器が水平な共有の壁１ｆに関連付けられることによって、さらに有利になる。このことは、これらの容器２１〜２１ｅの共有スタンドの起重装置を改善する。
【００３３】
図４ａ〜４ｃに例示されている変形例においては、容器は、開口部３８を通じてアクセス可能な円筒状のハウジング３６を画定する管状の本体３１の形状を有する。皮下注射針２は、ハウジング３６内に連続的に挿入される。この変形例においては、針２の接続ソケット２ａは、針をその軸線方向に沿って互いに分離された状態に維持するスペーサーとして機能する。この接続ソケット２ａは、注射装置４の先端３に接続されたときに径方向に膨張するため、接続ソケット２ａの外径は、管状本体３１の内径よりも極僅かに小さくなっている。それにより、接続操作において針が管状本体３１内で詰まって取外しが困難になることが防止される。接続ソケット２ａ及び針２の間には、他の部材２ｄが配置され、その部材２ｄの直径は管状本体３１の内径に適合する。このことは、この本体内に針を保持するのに役立つ。
【００３４】
これらの針２は管状本体３１の一方の端部からアクセス可能であり、針２と注射装置の先端３との接続は上述の方法で行われる。この実施例においては、管状本体内に６つの針が収容されている。最後に使用されることになる第１の針２は、管状本体３１内に摺動式に配置された支持装置３２によって適所に保持される。しかしこの支持装置３１と管状本体３１の内壁との間の摩擦力は、針２及び注射装置４を接続するために必要な圧力に耐えるように選定される。この支持装置３２は、装置３２の中心に関して鏡面対称に配置された２つのハウジング３２ａ、３２ｂを有し、ハウジング３２ａ、３２ｂの端部は外側に面して開口している。これらのハウジングの直径は、これらのハウジングが皮下注射針の中間部２ｃを受容できるように選定されている。
【００３５】
この支持装置３２及び軸方向ハウジング３２ａ、３２ｂにより、管状本体３１から取出された針２を使用後に管状本体３１のもう一方の端部を通して挿入し、次に注射装置４から分離することが可能になる。この目的のために、管状本体３１のもう一方の端部は、上述の実施形態の固定要素のような固定要素３４まで延びる弾性アーム３３を有する。これらの固定要素３４は斜め形状の外面３４ａを有し、外面３４ａは直径が変化する開口部３７を画定する。これらの斜めの面３４ａは、それらに加えられた軸方向の力を、針２の部材２ｄによって、弾性アームを曲げることができる径方向成分に転換する。故に開口部３７の直径は大きくなり、接続端部２ａがそこを通過できる。従って支持装置３２は、固定要素３４を備えた管状本体３１の端部を通って使用済の針２が挿入される度に、摺動しなければならない。
【００３６】
図４ｃに示されるように、固定要素３４は、接続ソケット２ａの端部とカートリッジ６との間に生じた空間内で係合するため、注射装置４及び管状本体３１の間で行われる引出操作により、装置４から針２を分離して管状本体３１内に保持することが可能になる。管状本体３１の人間工学的形状によって確実な把持が可能になり、この操作の実行が容易になる。
【図面の簡単な説明】
【図１ａ】  皮下注射針を注射装置に接続しているときの第１の実施形態の縦断面図である。
【図１ｂ】  図１ａと類似して、針の接続が完了した状態の断面図である。
【図２】  第１の変形例の縦断面図である。
【図３ａ】  第２の変形例の縦断面図であって、皮下注射針の使用における第１段階の図である。
【図３ｂ】  第２の変形例の縦断面図であって、皮下注射針の使用における第２段階の図である。
【図３ｃ】  第２の変形例の縦断面図であって、皮下注射針の使用における第３段階の図である。
【図４ａ】  第３の変形例の断面図であって、皮下注射針の使用における第１段階の図である。
【図４ｂ】  第３の変形例の断面図であって、皮下注射針の使用における第２段階の図である。
【図４ｃ】  第３の変形例の断面図であって、皮下注射針の使用における第３段階の図である。
【図１ａ】
0004795611.tif 000002
【図１ｂ】
0004795611.tif 000003
【図２】
0004795611.tif 000004
【図３ａ】
0004795611.tif 000005
【図３ｂ】
0004795611.tif 000006
【図３ｃ】
0004795611.tif 000007
【図４ａ】
0004795611.tif 000008
【図４ｂ】
0004795611.tif 000009
【図４ｃ】
0004795611.tif 000010